(57)【要約】【課題】自分の口座に対するATMでの取引を、第３者に委任しなくてはならない場合、自分のキャッシュカードを渡したり、暗証番号を教えたりすることに抵抗感を感じる可能性があった。【解決手段】本発明では、キャッシュカードとは別に、個別の暗証番号を持つICカードを用い、特定の取引だけを自動的に進めるよう登録するというものであって、本発明によれば、個人情報を漏らさずに済み、第３者に余分な操作をさせることなく取引を済ませることができる。【選択図】図１
2009271804.tif 000002
【特許請求の範囲】
【請求項１】
紙幣入出金ユニット、ICカードリード／ライトユニットとそれらを制御する制御部を備
えた現金自動取引装置において、ユーザー自身が予め登録、発行しておいたICカードを使
用することで、キャッシュカード又は通帳が無い場合でも、当該口座に対して現金の引き
出し、預け入れ、振り込みなどの取引を行う現金自動取引装置。
【請求項２】
事前に取引内容情報の登録されたICカードが挿入された場合、ICカード内の取引内容情
報を読み取ることで、取引選択や金額入力などの操作を自動的に実行することのできる、
請求項１の現金自動取引装置。
【請求項３】
挿入されたICカードで取引が行われた場合、ICカード内に当該ICカードを使用しての取
引が何回目であるかを記録することのできる機構を備えた、請求項１及び請求項２の現金
自動取引装置。
【請求項４】
挿入されたICカード内に記録されているICカード使用回数と、ICカード使用限度回数を
比較し、ICカードの使用回数が使用限度回数に達している場合には、その旨をディスプレ
イに表示させ、取引を中止すると共に、当該ICカードの回収、返却を選択させる画面を表
示する請求項１〜３の現金自動取引装置。
【請求項５】
挿入されたICカード内に記録されているICカード使用期限と、装置内制御部に持ってい
るカレンダーを比較し、カレンダーの日付がICカード使用期限を過ぎている場合には、そ
の旨をディスプレイに表示させ、取引を中止すると共に、当該ICカードの回収、返却を選
択させる画面を表示する請求項１〜４の現金自動取引装置。
【請求項６】
挿入されたICカードで一定期間内に何回取引が行われたかを読み取り、その取引回数が
、予めカード内に記録されている規定回数に達している場合には、その旨をディスプレイ
に表示させ、自動的に取引を中止する機能を備えた請求項１〜５の現金自動取引装置。
【請求項７】
ネット回線を通じてICカードの内容を変更することができ、ICカードがATMに挿入され
たときに、ホストから変更内容を受け取り、ICカードに変更後の情報を書き込むことので
きる請求項1〜６の現金自動取引装置。
【発明の詳細な説明】
【技術分野】
【０００１】
本発明は、金融機関などで使用される現金自動取引装置に関する。
【背景技術】
【０００２】
金融機関などで使用されている現金自動取引装置では、当該口座のキャッシュカードを
持っていれば、窓口に並ばなくても、現金の引き出し、預け入れ、振込みなどの取引を行
うことができる。
【０００３】
特開平3-078082号公報に記載の技術では、頻繁に行うであろう取引内容をキャッシュカ
ード内に記録させておくことができ、現金自動取引装置での取引操作をさらに簡単にし、
取引時間の短縮を図ることができる。
【０００４】
【特許文献１】特開平3-078082号公報
【発明の開示】
【発明が解決しようとする課題】
【０００５】
キャッシュカードの持ち主であるユーザーが、何らかの事情により、引き出しや預け入
れなどの取引を自分で銀行に行って行うことができない場合、普段現金自動取引装置をあ
まり利用していない第３者に代理を頼むこと場合がある。このとき、従来ではキャッシュ
カードを第３者に渡したり、キャッシュカードの暗証番号を教えたりする必要が生じ、そ
のことに少なからず抵抗を感じる可能性があった。また、代理を依頼される第３者が、普
段現金自動取引装置をあまり利用していない場合、現金自動取引装置での操作をスムーズ
に行えない可能性があった。
【課題を解決するための手段】
【０００６】
本発明では、キャッシュカードとは別に当該口座の取引を行うことのできるICカードを
用意することで、第３者に自分のキャッシュカードを渡したり、暗証番号を開示したりす
ることなく、当該取引を委任することができる。
【０００７】
また、このＩＣカードに予め特定の取引内容を登録しておくことで、取引を委任した第
３者に余分な操作をさせることなく、目的の取引だけを確実に行うことができる。
【発明の効果】
【０００８】
本発明では、ICカードを使用することにより、自分のキャッシュカードや通帳を第３者
に渡さずに取引を行うことができる。このICカードの暗証番号をキャッシュカードのそれ
と別にしておけば、キャッシュカードの暗証番号を第３者に開示する必要がなくなる。ま
た、ICカード内に特定の取引内容情報を登録しておき、現金自動取引装置でカード内情報
を読み取ることで、取引を依頼した第３者に余分な操作をさせることなく、目的の操作の
みをさせることができる。さらに、ICカードの使用可能回数、使用期間を設定しておくこ
とで、カードの紛失や盗難時に当該カード不正使用による被害を軽減することができる。
【発明を実施するための最良の形態】
【０００９】
以下に本発明を実施するための最良の形態の１つを示す。
【００１０】
以下に、簡易取引用ICカード101（以下、単にICカードとする）を現金自動取引装置201
（以下、ATMとする）で使用する場合の例を示す。ここで、ICカード101には図１で示す暗
証番号102、取引種別103、取引金額104、カード使用上限回数106、カード使用期限107の
情報がすでに登録されているものとする。
【００１１】
図２は、ATM内部構成図を中心に本実施形態に関与する各構成要素を示したものである。以下、図１、図２を用いた取引の実施例について、図３〜図７の処理フローを用いて説明する。
【００１２】
ICカード101をATM201のカード挿入口に挿入する（ステップ301）と画面表示部202に暗
証番号入力画面が表示される（ステップ302）。暗証番号を入力すると（ステップ303）、
入力された暗証番号がICカード101内に記録されている暗証番号102と合致するか判定を行
う（ステップ304）。入力された暗証番号が正しくない場合、ATM201の制御部205は暗証番
号入力間違いが何回目かを確認し、間違いが３回目以内であれば、暗証番号が間違ってい
る旨を画面202に表示させ、暗証番号入力画面に戻る（ステップ305）。間違いが３回目以
上であれば、暗証番号が間違っている旨を画面202に表示し、ICカード101を返却する（ス
テップ306）。
【００１３】
暗証番号が正しく入力されると、制御部205は次にICカード101内に記録されているICカ
ード使用期限107と制御部205内にあるカレンダー206の日付を比較し（ステップ307）、当
該ICカード101が使用期限内かどうかを判定する（ステップ308）。ICカード使用期限が過
ぎている場合には、その旨を画面202に表示し（ステップ309）、ICカード101をATM201内
に回収するか、返却するかの選択画面を表示させる（ステップ401）。利用者は回収、返
却のどちらかを選択し（ステップ402）、ATM201は選択された動作を行い、取引を終了す
る（ステップ403,404,405）。
【００１４】
ICカード使用期限内の場合、制御部205はICカード101内に記録されているICカード使用
回数105とICカード使用上限回数106を比較し（ステップ310）、当該ICカード101が使用上
限回数に達しているか判定する（ステップ311）。ICカード使用回数が、ICカード使用上
限回数に達している場合には、その旨を画面202に表示し（ステップ312）、ICカード101
をATM201内に回収するか、返却するかの選択画面を表示させる（ステップ401）。利用者
は回収、返却のどちらかを選択し（ステップ402）、ATM201は選択された動作を行い取引
を終了する（ステップ403,404,405）。
【００１５】
ICカード使用回数がICカード使用上限回数内である場合、制御部205はICカード101内に
記録されている取引種別103及び、取引金額104を参照しにいき（ステップ313）、取引内
容を画面202に表示させる（ステップ314）。利用者は画面202で取引内容を確認し、取引
を実行するかどうかの操作を行う（ステップ315,316）。
【００１６】
利用者がＯＫを選択した場合、制御部205はICカード101の使用回数105に＋１して、以
前の使用回数から書き換えを行う（ステップ317）と共に、ICカード101に記録されていた
取引内容を実行する（ステップ318）。取引処理が終了したら取引結果を画面202に表示し
（ステップ319）、ICカード101を返却して(ステップ320)、取引を終了する。
【００１７】
取引内容確認画面において、利用者がＮＯを選択した場合、ATM201はICカード101内情
報書き換えを実行するかどうかの選択画面を表示し（ステップ501）、利用者は書き換え
実行か否かを選択する（ステップ502）。ATM201は選択結果を受け（ステップ503）、ＮＯ
の場合は、ICカード101を返却して取引を終了する（ステップ504）。書き換えの場合、AT
M201はキャッシュカード208の挿入要求の画面を表示する（ステップ505）。キャッシュカ
ード208が挿入される（ステップ506）と暗証番号入力画面を表示する（ステップ507）。
暗証番号が正しく入力されると（ステップ508,509）、先に挿入されているICカード101の
口座情報とキャッシュカード208の口座情報を比較し（ステップ512,513）、異なる場合に
は、その旨を画面表示した上で（ステップ514）、両方のカードを返却し（ステップ515）
、取引を終了する。
【００１８】
双方の口座情報が一致した場合、ICカード内情報の書き換え処理に移る。
【００１９】
まず、ICカード101を使用する場合の暗証番号入力画面を表示する（ステップ516）。こ
こで入力する暗証番号は、今後ICカード101を使用する場合に入力する暗証番号となるた
め、今までの暗証番号と同一である必要はないが、キャッシュカードで使用する暗証番号
とは異なる方が望ましい。暗証番号が入力されると（ステップ517）次にICカード使用上
限回数の入力画面を表示する（ステップ518）。ICカード使用上限カード使用可能期限を
入力すると（ステップ519）、次にICカード使用期限の入力画面を表示する（ステップ520
）。ICカード使用期限を入力すると（ステップ521）、それぞれの情報がICカード101内に
格納される（ステップ522）。全ての情報の登録が終了すると、登録情報の確認画面が表
示される（ステップ523）。ＯＫを選択すると（ステップ524）、ICカード101、キャッシ
ュカード208を返却し（ステップ525）、取引を終了する。ＮＯを選択した場合には、ＩＣ
カードの暗証番号登録からやり直す。
【図面の簡単な説明】
【００２０】
【図１】ＩＣカード内記憶情報一覧。
【図２】ATM内部構成図。
【図３】簡易取引用ＩＣカードを現金自動取引装置で使用する場合の処理フロー図。
【図４】同じく簡易取引用ＩＣカードを現金自動取引装置で使用する場合の処理フロー図。
【図５】同じく簡易取引用ＩＣカードを現金自動取引装置で使用する場合の処理フロー図。
【図６】同じく簡易取引用ＩＣカードを現金自動取引装置で使用する場合の処理フロー図。
【図７】同じく簡易取引用ＩＣカードを現金自動取引装置で使用する場合の処理フロー図。
【符号の説明】
【００２１】
101…ＩＣカード、102…ＩＣカードの暗証番号、103…ＩＣカードに登録された取引種別、104
…ＩＣカードに登録された取引金額、１０５…ＩＣカード使用回数、１０６…ＩＣカード使用上限回数
、１０７…ＩＣカード使用期限、２０１…ＡＴＭ、２０２…ＡＴＭ画面表示部、２０３…カードリード／ライト
部、２０４…紙幣入出金部、２０５…ＡＴＭ制御部、２０６…ＡＴＭ制御部内カレンダー、２０７…ＡＴＭホス
ト、２０８…キャッシュカード。
【図１】
2009271804.tif 000003
【図２】
2009271804.tif 000004
【図３】
2009271804.tif 000005
【図４】
2009271804.tif 000006
【図５】
2009271804.tif 000007
【図６】
2009271804.tif 000008
【図７】
2009271804.tif 000009